(57)【要約】本発明は、負荷時タップ切換変圧器の異なる巻線タップの間の無遮断性の切換えのための、負荷時タップ切換器のための負荷切換開閉器に関する。概括的で発明的な着想は、力蓄積体、および負荷切換開閉器が、支承板にではなく、むしろ力蓄積体支持体に固定することにあり、従って、この力蓄積体支持体に付加的な収容部が設けられており、これら収容部が、大きな面積で、油容器に、特にそれぞれに油容器に固定された、この負荷切換開閉器のそれぞれの位相の上側の連続主接点支持体に、力蓄積体支持体が、水平方向内においておよび垂直方向内において固定されているように支持されており、且つ従って、支承板の機械的な負荷の軽減を生起する。
2013526771.tif 000002
【特許請求の範囲】
【請求項１】
負荷時タップ切換変圧器の異なる巻線タップの間の無遮断性の切換えのための、負荷時タップ切換器のための負荷切換開閉器であって、この負荷切換開閉器が、
１つの、この負荷切換開閉器を囲繞する、別個の油容器を有しており、
この油容器の壁部内において、および、この壁部を貫通する状態で、
少なくとも１つの水平方向の平面内において円形に設けられており、
それぞれの切換られるべき電気的な位相のための、電気的な接続接点が、
一方では、負荷導体のために、および、
他方では、負荷切換開閉器のそれぞれの両方の側面ＡおよびＢのために設けられており、
その際、これら側面Ａと側面Ｂの間で切り換えられ、且つ負荷導体のための接続が形成されており、
その際、この油容器内において、負荷切換開閉器の挿入部が設けられており、
この負荷切換開閉器の挿入部が、それ自身、
力蓄積体支持体に固定された力蓄積体と、
支承板を用いて、負荷切換開閉のための、固定された電気的な切換手段と、
これら電気的な切換手段の操作のための手段と、並びに、
切換抵抗とを有している様式の上記負荷切換開閉器において、
力蓄積体支持体（１）に、力蓄積体（２）の傍らで、同様に、負荷切換開閉器の挿入部の全部が、全てのこの力蓄積体支持体の構造部材と共に固定可能であること、および、
力蓄積体支持体（１）に、多数の収容部（１７）が設けられており、
これら収容部が、大きな面積で、それぞれに油容器に固定された、この負荷切換開閉器のそれぞれの位相の上側の連続主接点支持体（１３）に、
力蓄積体支持体（１）が水平方向内において、および垂直方向内において固定されているように、支持されていることを特徴とする負荷切換開閉器。
【請求項２】
多数の収容部（１７）の内側は、不伝導性に絶縁されていることを特徴とする請求項１に記載の負荷切換開閉器。
【発明の詳細な説明】
【技術分野】
【０００１】
本発明は、請求項１の上位概念に従う、負荷時タップ切換変圧器の異なる巻線タップの間の無遮断性の切換えのための、負荷時タップ切換器のための負荷切換開閉器に関する。
【背景技術】
【０００２】
負荷時タップ切換器は、
周知のごとく、負荷時タップ切換変圧器の、異なる巻線タップの間の中断の無い切換のために、および従って、負荷制御のために使用される。
これら負荷時タップ切換器は、通常、
この負荷時タップ切換変圧器の巻線タップの  −その巻線タップへと切換られるべきである−  性能ロスの無い予備選択のための選択器と、および、
これまでタップ切換された巻線タップから、新しい予備選択された巻線タップへの、本来の中断の無い切換のための負荷切換開閉器と、から成っている。
【０００３】
この負荷切換開閉器は、上記の目的のために、
そのような中断の無い迅速な切換のために必要な構造部材、特に力蓄積体、切換接点  −これら切換接点は、機械的な切換接点、真空スイッチ管体、または同様にサイリスタである−  と、並びに、
それぞれの切換工程の際の予め設定された切換シーケンスにおける、これら切換接点の操作のための手段とを備えている。
【０００４】
公知の負荷切換開閉器は、通常、それに加えて、独自の油容器を、通常は閉鎖された絶縁材シリンダーの様式において有しており、この絶縁材シリンダー内において、変圧器の囲繞する油から分離された状態で、全ての構造部材が設けられている。
この負荷切換開閉器の下側に、選択器が設けられており、この選択器が、変圧器油内において、設けられている。
負荷切換開閉器の全ての構造部材、もしくは要素は、個別の油容器の内側で、負荷切換開閉器の挿入部（Lastumschalter-Einsatz）として構成されており、
負荷時タップ切換器の全体が、その内においてこの負荷時タップ切換器が組み込まれている、変圧器タンクから取り外されねばならないこと無しに、
この負荷切換開閉器の挿入部が、完全に、この油容器から、例えば検査のためまたはメンテナンスのために、上方へと引き抜きされ得る。
【０００５】
上記のことに関して、例えば、
出願人の会社印刷物「負荷時タップ切換器  タイプＲ、およびＲＭ  −検査手引き」、並びに、「負荷時タップ切換器  タイプＲ、およびＲＭ  −技術的データ」から、負荷切換開閉器の挿入部において、絶縁材料から成る支持シリンダーを設けることは、公知であり、
この支持シリンダーが、組み込まれた状態において、同心的に、独自の油容器の内側で延在している。
この支持シリンダーの上側の閉鎖部を、１つの支承板が形成している。
下側で、この支持シリンダーに、負荷切換開閉器の更に別の、上記された構造部材群が連結されており、即ち、力蓄積体、この力蓄積体の下の、操作されるべき切換接点、更にこの下側に、公知の方法で、切換抵抗、もしくはバリスターが連結されている。
【０００６】
更に別の、冒頭に記載した様式の、負荷時タップ切換変圧器のための負荷時タップ切換器は、特許文献１から公知であり、
この負荷切換開閉器が、会社印刷物「負荷時タップ切換器  タイプＲ、およびＲＭ  −検査手引き」、並びに、「負荷時タップ切換器  タイプＲ、およびＲＭ  −技術的データ」の負荷切換開閉器を、支持シリンダーを必要とされ得ないように、更に発展させている。
上記の代わりに、この特許文献１内において、この負荷切換開閉器の、元来存在する固定の接続接点における、完全な負荷切換開閉器の挿入部の固定が行われ、これら接続接点が、油容器の壁部を貫通している。このことは、しかしながら、この負荷切換開閉器の挿入部の全ての構造部材が、この油容器の内側において水平に延在する支承板に組み付けられているので、単にそれ故に可能なだけである。
【０００７】
換言すれば、完全な負荷切換開閉器の挿入部の固定は、
全ての、この負荷切換開閉器の挿入部の構造部材が支承板に固定されており、且つ、
この支承板が、負荷切換開閉器の固定接続接点において、ここで、負荷導体の接続接点において、固定ピン内における、この支承板の固定穿孔の形状的に係合する結合によって固定される、
ことによって行われる。
構造的な制限によって、従って、この支承板、特に固定ボルトを介しての収容は、機械的に高く負荷された構造部材であり、この構造部材が、負荷切換開閉器および付加的に力蓄積体の全自重を、純粋に単に僅かのボルトだけを介して、支持しなくてはならない。
更に、これらボルトは、高い生起する回転トルクを、本来の、僅かに１０分の１秒の内に実施される切換の際に、収容せねばならず、且つ、この切換の終わりに、同様に再び制動しなければならない。結局のところ、この支承板が、単に、手間暇のかかる、且つ高価な製造方法だけにおいて製造可能であるという、更なる欠点が更に加わる。
【先行技術文献】
【特許文献】
【０００８】
【特許文献１】ドイツ連邦共和国特許第１００  ５５  ４０６号明細書
【発明の概要】
【発明が解決しようとする課題】
【０００９】
従って、本発明の課題は、
負荷時タップ切換器および力蓄積体のための簡単な構造部材から成る固定を提供することであり、
この固定が、同時に、高い機械的な負荷に、堅牢に耐え、しかしながら、不利な支持シリンダーを不必要にし、且つそれに加えて、安いコストで製造可能である。
【課題を解決するための手段】
【００１０】
この課題は、請求項１の特徴を有する負荷時タップ切換器のための負荷切換開閉器によって解決される。従属請求項は、特に有利な、本発明の更なる構成に関している。
【００１１】
概括的で発明的な着想は、力蓄積体、および負荷切換開閉器が、支承板にではなく、むしろ力蓄積体支持体に固定することにあり、
従って、この力蓄積体支持体に付加的な収容部が設けられており、
これら収容部が、大きな面積で、
油容器に、特にそれぞれに油容器に固定された、この負荷切換開閉器のそれぞれの位相の上側の連続主接点支持体に、力蓄積体支持体が、水平方向内においておよび垂直方向内において固定されているように支持されており、
且つ従って、支承板の機械的な負荷の軽減を生起する。
【００１２】
支承板との比較において、
力蓄積体支持体は、中実に形成された構造部材であり、この構造部材が、高い機械的な負荷を堅牢に満足させ、且つ、力蓄積体および負荷切換開閉器の自重を、問題なく支持する。
従来、この力蓄積体支持体は、純粋に、それぞれに使用される力蓄積体の、個別の構造部材の収容のために構成されており、
且つ、それ自身、支承板に、およびその上に、他方また、僅かのボルトでもって、この油容器に固定されていた。
力蓄積体並びに負荷切換開閉器の自重の、保持もしくは支持する機能は、従来技術の力蓄積体支持体に与えられていない。
【００１３】
本発明に従う解決策によって、支承板は、
この支承板の、真空スイッチ管体または機械的な切換接点のような構造部材の、本来の支承もしくは固定の、純粋に本来の機能へと元に戻され（zurueckgeschnitten）、
且つ、もはや従来技術に従うような負荷切換開閉器の全部を、力蓄積体と共に、単に固定ボルトを介して、堅牢に保持すること、および、本来の切換の際の回転モーメントに対して固定することのために構成されている。
この保持は、本発明に従い、ここで、多数の、大きな面積の収容を、力蓄積体支持体において引き受ける。
即ち、純粋に支承する部分機能内への支承板の、および、保持する部分機能内への力蓄積体支持体の、これら機能性の分離は、簡単な、しかしながら同時に同様に、個別の構造部材の極めて作動確実な構成をすることを可能にする。
【００１４】
次に、本発明を、例示的に、図に基づいて、更に詳しく説明する。
【図面の簡単な説明】
【００１５】
【図１】本発明の負荷切換開閉器の透視図であり、その際、種々の、発明にとって本質的でない構造部材は、意図的に省略されている。
【図２】本発明の負荷切換開閉器の詳細図である。
【図３】本発明の負荷切換開閉器の発明にとって本質的な部分の、更に別の透視図である。
【発明を実施するための形態】
【００１６】
この様式の負荷時タップ切換器が、当業者にとって、基本的に、機能および構造において、従来技術から公知であるので、以下の説明内において、公知に、しかしながら発明にとって本質的でない構造部材に対しては、詳細には立ち入らない。
図１内において図示された負荷切換開閉器は、本発明に従う力蓄積体支持体１にこの図内において認識可能で無い収容部１７を用いて設けられている、力蓄積体２を備えており、
これら収容部が、この力蓄積体支持体１を、水平方向および垂直方向内において、大きな面積で固定している。
この収容部１７の詳細な説明は、図２および３の対する実施形態から見て取ることが可能である。
【００１７】
示された力蓄積体２の場合、駆動軸３と結合状態にあるがしかしながら図示されていない偏心円板が設けられており、この偏心円板は、蓄勢スライダー４を操作する。それに加えて、この力蓄積体２は、３つの、平行に指向する、
蓄勢スライダー４の移動方向に沿って延在する、案内ロッド５、６および７を有しており、その際、それらの内の２つ、ここで案内ロッド６および７が、力蓄積体ばね８および９によって囲繞されている。
第３の案内ロッド５は、これとは反対に、純粋に、支持体ロッドとして形成されており、且つばねによって囲繞されていない。
【００１８】
垂直方向の間隔において、力蓄積体支持体１の下側に、支承板１０が設けられており、この支承板が、単に部分的に図示された、機械的な接点１１または真空スイッチ管体１２のような、負荷切換開閉器の切換接点の収容もしくは支承のために形成されている。
従来技術の場合とは異なって、この支承板１０は、しかしながら、もはや、その要素に完全な負荷切換開閉器並びに力蓄積体が固定されている、支持する要素ではない。
この支承板１０は、ここで、多数の、この支承板の外側の円形周囲に沿って位置決めされた支持ロッド１５に組み付けられており、且つ、機能的に、純粋に、構造部材の収容もしくは支承に限定されている。
【００１９】
支承板１０によって、収容された切換接点は、機械的な切換接点１１、真空スイッチ管体１２、サイリスタ、または同様に異なる切換接点の組み合わせである。
これらは、それぞれの基礎となる切換に依存して、予め設定された切換シーケンスにおいて、力蓄積体２の弛緩の後に操作される。
【００２０】
更に、図１内において、それぞれの連続主接点対の上側の連続主接点支持体１３が図示されており、
これら連続主接点支持体が、それぞれに、１２０°、相対して位置ずれした状態で、負荷切換開閉器の、図示されていない別個の油容器の内側に設けられている。
それぞれの切換られるべき位相のために、従って、１つの連続主接点対が設けられている。
これら連続主接点対は、同様に、従来技術から公知の構造部材であり、且つ、
静止した状態において、負荷切換開閉器のそれぞれの切換られた側面ＡまたはＢと、負荷導体との間の、電気的な接続を、通常、星形接続の接続点を実現する。
【００２１】
負荷切換開閉器の全部は、図示されていないが、しかしながら従来技術から十分に公知の油容器によって囲繞されており、
この油容器の壁部内において、および、この壁部を貫通する状態で、
少なくとも１つの水平方向の平面内において円形に設けられており、
それぞれの切換られるべき電気的な位相のための、電気的な接続接点１４が、
一方では、負荷導体のために、および、
他方では、負荷切換開閉器のそれぞれの両方の側面ＡおよびＢのために設けられており、その際、これら側面Ａと側面Ｂの間で切り換えられ、且つ負荷導体のための接続が形成される。
【００２２】
図２は、力蓄積体支持体１の、発明にとって本質的な部分図を示しており、その際、
この力蓄積体支持体が、
この力蓄積体支持体の多数の収容部１７を用いて、
上側の連続主接点支持体１３の、中実に形成された直方体形状のフランジにおいて、力蓄積体支持体１が、従って、水平方向内において、および垂直方向内において、固定されているように支持されている。
この力蓄積体支持体１が、中実に形成された構造部材であるので、
この力蓄積体支持体に、本発明に従い、負荷切換開閉器および力蓄積体２の全ての部材は、
従来技術に従って問題のある、個別の構造部材、特に多数の収容部１７を、機械的に過負荷すること無しに固定され得る。
所定の穿孔１６は、それぞれの連続主接点支持体１３内において、多数の接続接点１４の収容のために、および従って、図示されていない油容器における、上側の連続主接点支持体１３の安定性のある固定のために、形成されている。
【００２３】
図３内において、力蓄積体支持体１、本発明に従う角形状の収容部１７が、詳細図において示されており、この収容部内へと、連続主接点支持体１３の、対応して中実に形成された直方体形状のフランジが、大きな面積で係合する。
それに加えて、それぞれの収容部１７の内側において、しかしながら、この図内において図示されていない、電気的に絶縁された被膜が設けられている。
【符号の説明】
【００２４】
１    力蓄積体支持体
２    力蓄積体
３    駆動軸
４    蓄勢スライダー
５    案内ロッド
６    案内ロッド
７    案内ロッド
８    力蓄積体ばね
９    力蓄積体ばね
１０  支承板
１１  切換接点、接点
１２  真空スイッチ管体
１３  連続主接点支持体
１４  接続接点
１５  支持ロッド
１６  穿孔
１７  収容部
【図１】
2013526771.tif 000003
【図２】
2013526771.tif 000004
【図３】
2013526771.tif 000005
【国際調査報告】
2013526771.tif 000006
2013526771.tif 000007
2013526771.tif 000008
2013526771.tif 000009